(57)【要約】【課題】フィルタをケーシングの外部へ容易に取り出す。【解決手段】ケーシング１０は、前面側において、右端部に設けられたカバー部１１と、カバー部１１の左側に形成された開口１２，１３とを有する。カバー部１１に形成された凹状の収容部には、活性種発生ユニット３０が収容されている。ケーシング１０に対して開閉に取り付けられた前面パネル２０は、ケーシング１０の開口を塞ぐパネル部２１と、パネル部２１の裏面に取り付けられたダクト部２２とを有する。パネル部２１とダクト部２２とは一体になっており、前面パネル２０をケーシング１０に対して開くことにより、パネル部２１とともにダクト部２２が移動する。これにより、ダクト部２２がフィルタユニット４０の前方に配置されなくなる。【選択図】図２
2013185793.tif 000002
【特許請求の範囲】
【請求項１】
熱交換器に対向したフィルタを内部に有するケーシングと、
前記ケーシングに対して開閉可能に取り付けられた前面パネルとを備え、
前記ケーシング内の一端部には、活性種を発生する活性種発生放電部を有する活性種発生ユニットが配置されると共に、
前記前面パネルが、前記活性種発生ユニットで発生した活性種を前記ケーシング内へ放出するダクト部を有していることを特徴とする空気調和機。
【請求項２】
前記ダクト部の断面積は、前記活性種発生ユニットから離れるにしたがって大きくなることを特徴とする請求項１に記載の空気調和機。
【請求項３】
前記活性種発生ユニットが、前記熱交換器の側方に配置されることを特徴とする請求項１又は２に記載の空気調和機。
【請求項４】
前記活性種発生ユニットは、前記活性種発生放電部で発生した活性種を外部へ放出する開口を有し、
前記ダクト部は、前記活性種発生ユニットで発生した活性種を内部に流入させる流入口を有し、
前記前面パネルを閉じた状態において、前記開口と前記流入口とが連通することを特徴とする請求項１〜３のいずれか１項に記載の空気調和機。
【請求項５】
前記ケーシングは、前記前面パネルを閉じた状態において、前記開口と前記流入口とを連通させる溝部を有することを特徴とする請求項４に記載の空気調和機。
【請求項６】
前記溝部は、前記前面パネルを閉じた状態において、前記開口に対向する溝流入部と、前記流入口に対向する溝流出部とを有しており、
前記流入口と前記溝流出部とを封止するシール部材をさらに備えていることを特徴とする請求項５に記載の空気調和機。
【発明の詳細な説明】
【技術分野】
【０００１】
本発明は、室内機を有する空気調和機に関する。
【背景技術】
【０００２】
空気調和機は、室内に設置される室内機と、室外に設置される室外機とを備えたものが一般的である。室内機は、ケーシングの内部に配置された熱交換器と、熱交換器に対向するように配置されるフィルタと、活性種を発生する放電ユニットと、放電ユニットで発生した活性種をケーシング内部に放出するダクト部とを有するものが知られている。特許文献１では、活性種発生ユニット及びダクト部が、フィルタと熱交換器との間に配置されている。
【先行技術文献】
【特許文献】
【０００３】
【特許文献１】特開２００６−２３４３３０号公報
【発明の概要】
【発明が解決しようとする課題】
【０００４】
また、放電ユニットと、ダクト部とを有する空気調和機として、ダクト部を、フィルタの前方に配置するようにケーシングに固定する構成が考えられる。しかしながら、この構成では、フィルタをケーシングの外部へ取り出すために、ダクト部をフィルタの前方から移動させることが必要となる。よって、フィルタをケーシングの外部へ容易に取り出すことができない。
【０００５】
そこで、本発明は、フィルタをケーシングの外部へ容易に取り出すことができる空気調和機を提供することを目的とする。
【課題を解決するための手段】
【０００６】
第１の発明に係る空気調和機は、熱交換器に対向したフィルタを内部に有するケーシングと、前記ケーシングに対して開閉可能に取り付けられた前面パネルとを備え、前記ケーシング内の一端部には、活性種を発生する活性種発生放電部を有する活性種発生ユニットが配置されると共に、前記前面パネルが、前記活性種発生ユニットで発生した活性種を前記ケーシング内へ放出するダクト部を有している。
【０００７】
この空気調和機では、ダクト部が前面パネルに取り付けられているため、前面パネルの開動作に伴って、ダクト部が前面パネルとともに移動することによりフィルタの前方に配置されなくなる。これにより、フィルタをケーシングの外部へ容易に取り出すことができる。
【０００８】
第２の発明に係る空気調和機は、第１の発明において、前記ダクト部の断面積は、前記活性種発生ユニットから離れるにしたがって大きくなる。
【０００９】
この空気調和機では、ダクト部の断面積を活性種発生ユニットからの距離に応じて変化させることにより、活性種発生ユニットからの距離に関係なく、ケーシング内の全域に略均一な量の活性種を放出することができる。
【００１０】
第３の発明に係る空気調和機は、第１又は第２の発明において、活性種発生ユニットが、前記熱交換器の側方に配置される。
【００１１】
この空気調和機では、活性種発生ユニットが熱交換器の側方に配置されるため、活性種発生ユニットにより熱交換器への空気の流入が妨げられるのを防止できる。これにより、熱交換器を有効に利用できる。また、活性種発生ユニットと熱交換器とが、空気調和機の厚み方向に配置されないため、空気調和機の厚型化を抑えることができる。
【００１２】
第４の発明に係る空気調和機は、第１〜第３の発明において、前記活性種発生ユニットは、前記活性種発生放電部で発生した活性種を外部へ放出する開口を有し、前記ダクト部は、前記活性種発生ユニットで発生した活性種を内部に流入させる流入口を有し、前記前面パネルを閉じた状態において、前記開口と前記流入口とが連通する。
【００１３】
この空気調和機では、前面パネルを閉じた状態において、活性種発生ユニットの開口とダクト部の流入口とが連通するため、活性種発生ユニットで発生した活性種をダクト部の内部に効率よく流入させることができる。
【００１４】
第５の発明に係る空気調和機は、第４の発明において、前記前面パネルを閉じた状態において、前記開口と前記流入口とを連通させる溝部を有する。
【００１５】
この空気調和機では、ケーシングに形成された溝部によって、活性種発生ユニットの開口とダクト部の流入口とを溝部によって連通させることができるため、簡易な構成で活性種をダクト部の内部に流入させることができる。
【００１６】
第６の発明に係る空気調和機は、第５の発明において、前記溝部は、前記前面パネルを閉じた状態において、前記開口に対向する溝流入部と、前記流入口に対向する溝流出部とを有しており、前記流入口と前記溝流出部とを封止するシール部材をさらに備えていることを特徴とする。
【００１７】
この空気調和機では、シール部材でダクト部の流入口と溝流出部とを封止することができるため、活性種をダクト部の内部により効率よく流入させることができる。
【発明の効果】
【００１８】
以上の説明に述べたように、本発明によれば、以下の効果が得られる。
【００１９】
第１の発明では、ダクト部が前面パネルに取り付けられているため、前面パネルの開動作に伴って、ダクト部が前面パネルとともに移動することによりフィルタの前方に配置されなくなる。これにより、フィルタをケーシングの外部へ容易に取り出すことができる。
【００２０】
第２の発明では、ダクト部の断面積を活性種発生ユニットからの距離に応じて変化させることにより、活性種発生ユニットからの距離に関係なく、ケーシング内の全域に略均一な量の活性種を放出することができる。
【００２１】
第３の発明では、活性種発生ユニットが熱交換器の側方に配置されるため、活性種発生ユニットにより熱交換器への空気の流入が妨げられるのを防止できる。これにより、熱交換器を有効に利用できる。また、活性種発生ユニットと熱交換器とが、空気調和機の厚み方向に配置されないため、空気調和機の厚型化を抑えることができる。
【００２２】
第４の発明では、前面パネルを閉じた状態において、活性種発生ユニットの開口とダクト部の流入口とが連通するため、活性種発生ユニットで発生した活性種をダクト部の内部に効率よく流入させることができる。
【００２３】
第５の発明では、ケーシングに形成された溝によって、活性種発生ユニットの開口とダクト部の流入口とを溝部によって連通させることができるため、簡易な構成で活性種をダクト部の内部に流入させることができる。
【００２４】
第６の発明では、シール部材でダクト部の流入口と溝流出部とを封止することができるため、活性種をダクト部の内部により効率よく流入させることができる。
【図面の簡単な説明】
【００２５】
【図１】本発明の第１実施形態に係る室内機の斜視図である。
【図２】前面パネルを開いた状態の室内機を略前方から視た斜視図である。
【図３】図１のIII−III線に沿った断面図である。
【図４】前面パネルを取り外した状態の室内機の斜視図である。
【図５】図４に示す室内機（右端部）の拡大正面図である。
【図６】（ａ）は前面パネルの正面図であり、（ｂ）は（ａ）のＶＩB-ＶＩB線に沿った断面図であり、（ｃ）は（ａ）のＶＩC-ＶＩC線に沿った断面図である。
【図７】ダクト部の位置を説明する図である。
【図８】（ａ）は活性種発生ユニットを左側からみた斜視図であり、（ｂ）は活性種発生ユニットを右側からみた斜視図である。
【図９】（ａ）は活性種発生ユニットの左側面図であり、（ｂ）は図８（ａ）のIXB−IXB線に沿った断面図である。
【図１０】（ａ）は変形例に係る前面パネルの正面図であり、（ｂ）は（ａ）のXB-XB線に沿った断面図である。
【図１１】（ａ）は他の変形例に係る前面パネルの正面図であり、（ｂ）は（ａ）のXIB-XIB線に沿った断面図である。
【発明を実施するための形態】
【００２６】
以下に、本発明の実施形態について、図１〜９を参照しつつ説明する。
【００２７】
（室内機の構成）
図１に示すように、空気調和機の室内機１は、全体として一方向に細長い略直方体状に形成され、その長手方向が水平となるように室内の壁面に据え付けられる。室内機１は、室外機と共に空気調和機を構成し、室内の冷暖房を行う。以下の説明において、室内機１が壁から突出する方向を「前方」と称し、その反対の方向を「後方」と称する。また、図１に示す左右方向を単に「左右方向」と称する。本実施形態の「左右方向」は、室内機１の長手方向を示す。
【００２８】
図１〜３に示すように、室内機１は、ケーシング１０と、ケーシング１０に対して開閉可能に取り付けられた前面パネル２０と、ケーシング１０の右端部に配置された活性種発生ユニット３０とを備えている。
【００２９】
[ケーシング]
図４に示すように、ケーシング１０は、略直方体状に形成されており、前面側において、右端部に設けられたカバー部１１と、カバー部１１の左側に形成された２つの開口１２，１３とを有する。
【００３０】
カバー部１１には、活性種発生ユニット３０が収容された凹状の収容部１４と、活性種発生ユニット３０で発生した活性種が流れる溝部１５とが形成されている。図４，５に示すように、溝部１５は、収容部１４から開口１２まで延在しており、右端（収容部１４側の一端）に形成された溝流入部１５ａと、左端（開口１２側の他端）に形成された溝流出部１５ｂとを有する。
【００３１】
図４に示すように、２つの開口１２，１３は左右方向に並んで配置され、開口１２，１３の各々にフィルタユニット（フィルタ）４０が配置されている。フィルタユニット４０は、ケーシング１０の内部に吸込まれた空気の塵や埃を除去する。
【００３２】
そして、図３に示すように、ケーシング１０の内部には、フィルタユニット４０の後方に、熱交換器５０及びファン６０が順に配置されている。また、図３，４に示すように、ケーシング１０の天井部には吸込口１６が形成され、下端部には、左右方向に長い矩形状の吹出口１７が形成されている。ファン６０の駆動により、吸込口１６からケーシング１０の内部に吸込まれた空気は、フィルタユニット４０及び熱交換器５０を通過して吹出口１７から室内に吹き出される。
【００３３】
[前面パネル] 
図１，３に示すように、前面パネル２０は、ケーシング１０の前側に配置され、上端部を基点として回転自在になるように、ケーシング１０に取り付けられている（図２参照）。
【００３４】
図２，３に示すように、前面パネル２０は、ケーシング１０の開口１２，１３を塞ぐ略平板状のパネル部２１と、パネル部２１の裏面に取り付けられたダクト部２２とを有する（図１参照）。図３に示すように、前面パネル２０を閉じた状態において、ダクト部２２は、フィルタユニット４０の前方（フィルタユニット４０に対して熱交換器５０と反対側）に配置される。また、パネル部２１とダクト部２２とは一体になっていることから、前面パネル２０をケーシング１０に対して開くことにより、ダクト部２２はパネル部２１とともに移動する（図２参照）。これにより、ダクト部２２がフィルタユニット４０の前方に配置されないようになる。
【００３５】
図１，２，６に示すように、ダクト部２２は、左右方向に細長い筒状に形成され、内部に空間Ｓが形成されている（図２参照）。ダクト部２２の右端には開口が形成され、左端は閉塞されている。ダクト部２２の右端に形成された開口は、活性種発生ユニット３０で発生した活性種がダクト部２２の内部に流入する流入口２３となっている。流入口２３から流入した活性種は、ダクト部２２の右端から左端に向かって流れる。また、ダクト部２２の右端には、環状のシール部材７０が取り付けられている。なお、図６（ａ）の前面パネル２０の正面図では、ダクト部２２及びシール部材７０を点線で示している。
【００３６】
図２及び図６（ａ）に示すように、ダクト部２２の背面２４には、複数の貫通孔２４ａが左右方向に等間隔に並んで形成されている。複数の貫通孔２４ａは、ダクト部２２の上下方向についての略中央に形成されている（図６（ａ）参照）。背面２４は、前面パネル２０を閉じた状態において、フィルタユニット４０に対向するように配置される。
【００３７】
図２に示すように、ダクト部２２の断面積Ａ（空間Ｓの断面積Ａ）は、ダクト部２２の右端から離れるにしたがって大きくなっている（図６（ａ）及び図６（ｃ）参照）。ここで、「ダクト部２２の断面積Ａ」とは、図２に示す断面積Ａであって、ダクト部２２（空間Ｓ）の上下方向に沿った断面積である。また、「上下方向」とは、左右方向（ダクト部２２の長手方向）に垂直な方向である。
【００３８】
そして、図５，７に示すように、ダクト部２２の右端に形成された流入口２３は、ケーシング１０の溝部１５の左端に形成された溝流出部１５ｂと略同じ大きさ（面積）に形成され、前面パネル２０を閉じた状態において、溝流出部１５ｂと対向するように配置される。また、前面パネル２０を閉じた状態において、ダクト部２２の右端（流入口２３）と溝流出部１５ｂとが、シール部材７０により封止される。なお、図５には、溝部１５周辺の拡大図を示している。
【００３９】
[活性種発生ユニット]
図８，９に示すように、活性種発生ユニット３０は、直方体状の略箱状の筐体部３１と、筐体部３１の内部に配置された放電電極板３２及び対向電極板３３と、放電電極板３２に保持された２つの放電針３４，３５と、放電電極板３２に電気的に接続される電源接続部３６と、対向電極板３３に電気的に接続される電源接続部３７とを有している。
【００４０】
電源接続部３６，３７の後端部がケーシング１０の内部に配置された電源部に接触することにより、放電針３４，３５に電圧が印加されると、放電針３４，３５から対向電極板３３に向かって放電が発生する。そして、放電により低温プラズマが発生することによって活性種（高速電子、イオン、水酸化ラジカル及び励起酸素分子などの活性種）が発生する。発生した活性種は、アンモニア類や、アルデヒド類、窒素酸化物等の小さな有機分子からなる空気中の有害成分や臭気成分を分解する。本実施形態では、放電針３４，３５と、対向電極板３３とにより放電が生じる部分を活性種発生放電部と呼ぶ。
【００４１】
また、図８（ａ）及び図９（ａ）に示すように、筐体部３１の左壁部８１には、活性種発生放電部で発生した活性種を外部へ放出する開口８１ａが形成されている。活性種発生ユニット３０をケーシング１０の収容部１４に収容したとき、図５，７に示すように、開口８１ａは、溝部１５の右端の溝流入部１５ａに対向するように配置される。これにより、前面パネル２０を閉じた状態において、活性種発生ユニット３０の開口８１ａと、ダクト部２２の流入口２３とが、溝部１５により連通する。
【００４２】
そして、図７に示すように、活性種発生ユニット３０から放出された活性種は、ケーシング１０の溝部１５を通過して、ダクト部２２の内部に流入する。その後、活性種は、ダクト部２２の背面２４に形成された貫通孔２４ａからフィルタユニット４０に向かって吹き出される（図２参照）。
【００４３】
ここで、ダクト部２２の内部（空間Ｓ）での活性種の流速は、活性種発生ユニット３０に近い右端部で速く、活性種発生ユニット３０から離れるにしたがって（左端部に近付くにしたがって）遅くなる。このため、図１０に示すような、ダクト部１２２の断面積が左右方向について右端と同じ面積になるように構成されている場合、活性種量は、活性種発生ユニット３０から離れるにしたがって少ない（空間Ｓの左端側の活性種量＜空間Ｓの右端側の活性種量）。
【００４４】
そこで、本実施形態では、図２，６等に示すように、ダクト部２２の断面積Ａを活性種発生ユニット３０から離れるにしたがって大きくなるようにしている。これにより、ダクト部２２の左端側では、右端側よりも、活性種の流速が遅いが断面積が大きくなっている。そして、ダクト部２２の右端側（流入口２３側）を左端側と比べると、活性種の流速が速いが断面積が小さくなっている。このように、ダクト部２２の左端部では、右端部よりも活性種の流速が遅い分、断面積Ａが大きいため、図１０に示すダクト部の左端部よりも活性種量を多くすることができる。その結果、活性種量は、活性種発生ユニット３０からの距離に関係なく、左右方向の各位置で略均一となる。よって、ダクト部２２から２つのフィルタユニット４０に対して、左右方向の全域に略均一な量の活性種を放出できる。
【００４５】
以上のように、本実施形態の空気調和機では、ダクト部２２が前面パネル２０に取り付けられているため、前面パネル２０の開動作に伴って、ダクト部２２が前面パネル２０とともに移動することによりフィルタユニット４０の前方に配置されなくなる。これにより、フィルタユニット４０をケーシング１０の外部へ容易に取り出すことができる。
【００４６】
また、本実施形態の空気調和機は、ダクト部２２の上下方向についての断面積Ａが、活性種発生ユニット３０から離れるにしたがって大きくなっており、ダクト部２２の断面積Ａを活性種発生ユニット３０からの距離に応じて変化させている。これにより、活性種発生ユニット３０からの距離に関係なく、ダクト部２２の全域に略均一な量の活性種を拡散させることができる。その結果、ケーシング１０内の左右方向についての全域に均一な量の活性種を放出することができる。
【００４７】
さらに、活性種発生ユニット３０がフィルタユニット４０と熱交換器５０との間に配置されている場合は（特許文献１参照）、熱交換器５０の一部が活性種発生ユニット３０で覆われることにより、その部分では熱交換器５０への空気の流入が妨げられる。そのため、熱交換器５０の全域を有効に利用することができない。しかしながら、本実施形態の空気調和機では、活性種発生ユニット３０が熱交換器５０の右側に配置されているため、活性種発生ユニット３０により熱交換器５０への空気の流入が妨げられるのを防止できる。このため、熱交換器５０を有効に利用できる。
【００４８】
また、特許文献１のように、活性種発生ユニット３０がフィルタユニット４０と熱交換器５０との間に配置されている場合、活性種発生ユニット３０と、熱交換器５０とが、室内機１の厚み方向（前後方向）に並んで配置されるため、室内機１が厚型化するが、本実施形態の空気調和機では、活性種発生ユニット３０が熱交換器５０の右側に配置されることにより、活性種発生ユニット３０と熱交換器５０とが室内機１の厚み方向（前後方向）に配置されないため、室内機１の厚型化を抑えることができる。
【００４９】
加えて、本実施形態の空気調和機では、前面パネル２０を閉じた状態において、活性種発生ユニット３０の開口８１ａとダクト部２２の流入口２３とが連通するため、活性種発生ユニット３０で発生した活性種をダクト部２２の内部に効率よく流入させることができる。
【００５０】
また、本実施形態の空気調和機では、ケーシング１０に形成された溝部１５によって、活性種発生ユニット３０の開口８１ａとダクト部２２の流入口２３とを溝部１５によって連通させることができるため、簡易な構成で活性種をダクト部２２の内部に流入させることができる。
【００５１】
さらに、本実施形態の空気調和機では、シール部材７０でダクト部２２の流入口２３と溝流出部１５ｂとを封止することができるため、活性種をダクト部２２の内部により効率よく流入させることができる。
【００５２】
以上、本発明の実施形態について図面に基づいて説明したが、具体的な構成は、これらの実施形態に限定されるものでないと考えられるべきである。本発明の範囲は、上記した実施形態の説明ではなく特許請求の範囲によって示され、さらに特許請求の範囲と均等の意味および範囲内でのすべての変更が含まれる。
【００５３】
例えば、上述の実施形態では、ダクト部２２の上下方向についての断面積Ａが活性種発生ユニット３０から離れるにしたがって大きくなっているが、ダクト部の断面積は、活性種発生ユニットからの距離に応じて変化させなくてもよい。例えば、図１０に示すように、ダクト部１２２の上下方向についての断面積及び前後方向についての断面積が、活性種発生ユニットからの距離に関係なく左右方向について略同一となるように構成されてもよい。
【００５４】
また、上述の実施形態では、ダクト部２２の上下方向に沿った断面積が活性種発生ユニット３０から離れるにしたがって大きくなっているが、図１１に示すように、ダクト部２２２の前後方向に沿った断面積が、活性種発生ユニット３０から離れるにしたがって大きくなるように構成されてもよい。ここで、前後方向とは、左右方向（ダクト部２２２の長手方向）に垂直な方向である。
【００５５】
さらに、上述の実施形態では、活性種発生ユニット３０を熱交換器５０の右側に配置するとともに、ダクト部２２の右端に流入口２３を形成しているが、活性種発生ユニット３０を熱交換器５０の左側に配置するとともに、ダクト部の左端に流入口を形成してもよい。
【００５６】
加えて、上述の実施形態では、前面パネル２０を閉じた状態において、活性種発生ユニット３０の開口８１ａと、ダクト部２２の流入口２３とが、ケーシング１０の溝部１５によって連通するが、開口８１ａと流入口２３とが溝部１５によって連通しなくてもよい。例えば、開口８１ａと流入口２３とを対向して隣接させることで、これらを連通させてもよい。
【００５７】
また、上述の実施形態では、ダクト部２２の右端（流入口２３）と、溝部１５の溝流出部１５ｂとの間にシール部材７０が配置されているが、ダクト部２２の右端と溝流出部１５ｂとの間にシール部材７０が配置されなくてもよい。
【００５８】
さらに、上述の実施形態において、活性種発生ユニット３０の左壁部８１（開口８１ａ）と、溝部１５の溝流入部１５ａとの間にシール部材を配置してもよい。これにより、左壁部８１と溝流入部１５ａとが封止されるため、活性種をダクト部２２の内部により効率よく流入させることができる。
【００５９】
加えて、上述の実施形態では、図６（ａ）に示すように、ダクト部２２に形成された複数の貫通孔２４ａが、ダクト部２２の上下方向についての略中央に形成されているが、貫通孔２４ａの位置は上下方向の略中央でなくてもよい。
【産業上の利用可能性】
【００６０】
本発明を利用すれば、フィルタをケーシングの外部へ容易に取り出すことができる。
【符号の説明】
【００６１】
１  室内機
１０  ケーシング
１５  溝部
１５ａ  溝流入部
１５ｂ  溝流出部
２０  前面パネル
２１  パネル部
２２  ダクト部
２３  流入口
３０  活性種発生ユニット
４０  フィルタユニット（フィルタ）
５０  熱交換器
７０  シール部材
８１ａ  開口
【図１】
2013185793.tif 000003
【図２】
2013185793.tif 000004
【図３】
2013185793.tif 000005
【図４】
2013185793.tif 000006
【図５】
2013185793.tif 000007
【図６】
2013185793.tif 000008
【図７】
2013185793.tif 000009
【図８】
2013185793.tif 000010
【図９】
2013185793.tif 000011
【図１０】
2013185793.tif 000012
【図１１】
2013185793.tif 000013